(57)【要約】【課題】レンズユニットをカメラ本体の任意の位置に簡単に取り付けることができるカメラシステムを提供する。【解決手段】カメラシステム２を、ＣＣＤを内蔵したレンズユニット３と、カメラ本体４とから構成する。レンズユニット３の突出部１０に磁石を埋め込む。カメラ本体４の本体部１５を磁性体で形成する。これにより、レンズユニット３をカメラ本体４の機能を妨げない任意の位置に取り付けることができる。なお、レンズユニット３とカメラ本体４との間のデータ伝送及び電力伝送はケーブルを用いて行う。【選択図】        図１
2006295838.tif 000002
【特許請求の範囲】
【請求項１】
撮影レンズ及び撮像素子が内蔵されたレンズユニットと、
前記レンズユニットが装着される電子機器と、
前記レンズユニットを前記電子機器の機能を妨げない電子機器外面の異なる複数の位置に装着可能にする取付手段と、
前記レンズユニット及び前記電子機器の間でデータを通信するための通信手段と、
前記電子機器に備えられ前記撮像素子の画像データを前記通信手段を介して取り込んで画像として表示させる表示手段とを有することを特徴とするカメラシステム。
【請求項２】
前記取付手段は、レンズユニット外面及び電子機器外面の一方に設けられた磁石と、他方に設けられた磁性体とからなることを特徴とする請求項１記載のカメラシステム。
【請求項３】
前記取付手段は、レンズユニット外面及び電子機器外面の一方に貼り付けられ、フック状の樹脂製の係合部材が複数固着されたシートと、他方に貼り付けられ、前記係合部材と係合するループ状の樹脂製の被係合部材が複数固着されたシートとからなることを特徴とする請求項１記載のカメラシステム。
【請求項４】
前記取付手段は、粘着部材であることを特徴とする請求項１記載のカメラシステム。
【請求項５】
前記取付手段は、電子機器外面に複数設けられた被取付部と、レンズユニット外面に設けられ前記複数の被取付部に選択的に着脱自在に取り付けられる取付部とからなることを特徴とする請求項１記載のカメラシステム。
【請求項６】
前記電子機器には、前記画像データを前記通信手段を介して取り込んで記録する記録手段が備えられていることを特徴とする請求項１ないし５いずれか１項記載のカメラシステム。
【請求項７】
前記レンズユニットが前記電子機器に装着されたことを検出する装着検出手段と、前記装着検出手段による検出結果に基づいて撮影準備動作を行わせる制御手段とを有することを特徴とする請求項１ないし６いずれか１項記載のカメラシステム。
【請求項８】
電磁誘導を利用してケーブルレスで前記電子機器から前記レンズユニットへ電力を伝送する電力伝送手段を有することを特徴とする請求項１ないし７いずれか１項記載のカメラシステム。
【請求項９】
前記通信手段は、無線通信であることを特徴とする請求項１ないし８いずれか１項記載のカメラシステム。
【発明の詳細な説明】
【技術分野】
【０００１】
本発明は、撮影レンズと撮像素子とが内蔵されたレンズユニットと、このレンズユニットが装着される電子機器とから構成されるカメラシステムに関する。
【背景技術】
【０００２】
各種レンズユニット（交換レンズ）を交換して好みに応じた撮影を行うことができるレンズ交換式のデジタルカメラが知られている。レンズ交換式のデジタルカメラは、カメラ本体とレンズユニットとから構成されるが、被写体像を撮像する撮像素子をカメラ本体側に配置するのが一般的であった。
【０００３】
しかしながら、撮像素子をカメラ本体側に配置した場合には、レンズユニット側のレンズ群とカメラ本体側の撮像素子とを光学的に接続しなければならないため、ときに専門的な知識が必要とされ、初心者にとっては取り扱いが難しいという問題があった。
【０００４】
そこで、撮像素子をレンズユニット側に配置するレンズ交換式のデジタルカメラが提案されている。このデジタルカメラは、レンズユニットとカメラ本体とを電気的に接続するだけでよくなるため、取り扱いが簡単になるという利点を有する。また、レンズユニット内に撮像素子を内蔵した状態でレンズユニットを密閉することができるため、撮像素子に塵埃等が付着することがなくなるという利点を有する。
【０００５】
ところで、レンズユニットをカメラ本体に装着する取付手段としては、バヨネット方式や、磁石を用いたものなど、様々なものが知られている。
【０００６】
特許文献１には、磁石を用いてレンズユニットの装着を行うカメラが記載されている。このカメラでは、カメラ本体の座板面に複数の磁石を設け、レンズユニットの後面に磁石に吸着する吸着部材を設けている。複数の磁石は、座板面の周方向に沿って配置され、任意の２つの磁石間に形成される中心角がすべて異なるようにされている。また、吸着部材は、前記複数の磁石に対して、鏡像関係となるように配置されている。レンズユニットの後面をカメラ本体の座板面に押し付けた後、レンズユニットを回転させることで、レンズユニットをカメラ本体の所定の取付位置に位置決めすることができる。
【０００７】
特許文献２には、接続板を介してレンズユニットの装着を行うデジタルカメラが記載されている。このデジタルカメラは、撮像素子をレンズユニット側に配置したタイプのものである。このデジタルカメラでは、レンズユニットに係合爪を設け、カメラ本体に係合爪と係合する係合部が形成された接続板を設けている。レンズユニットを接続板を介してカメラ本体に押し当てた後にスライド移動させることにより係合爪を係合部に係合させ、レンズユニットをカメラ本体の所定の取付位置に位置決めすることができる。
【特許文献１】特開平８−２２７０９６号公報
【特許文献２】特開２０００−５０１３８号公報
【発明の開示】
【発明が解決しようとする課題】
【０００８】
撮像素子をレンズユニット側に配置したタイプのレンズ交換式のデジタルカメラにおいては、レンズユニットとカメラ本体とを電気的に接続するだけでよいため、必ずしもレンズユニットをカメラ本体の所定の取付位置に限定して装着する必要はない。よって、従来の取付手段、例えば上記各特許文献に記載された取付手段よりも、より適当な取付手段を用いることが好ましい。
【０００９】
特に、今後は技術の進歩に伴い、レンズユニットがより小型・軽量・安価になり、多種類のレンズユニットが提供可能となることが予想されるため、レンズユニットの着脱が簡単に行える構成が望まれる。
【００１０】
本発明では、使い勝手のよいレンズ交換式のカメラシステムを提供することを目的とする。
【課題を解決するための手段】
【００１１】
本発明は、撮影レンズ及び撮像素子が内蔵されたレンズユニットと、前記レンズユニットが装着される電子機器と、前記レンズユニットを前記電子機器の機能を妨げない電子機器外面の異なる複数の位置に装着可能にする取付手段と、前記レンズユニット及び前記電子機器の間でデータを通信するための通信手段と、前記電子機器に備えられ前記撮像素子の画像データを前記通信手段を介して取り込んで画像として表示させる表示手段とを有することを特徴とする。
【００１２】
前記取付手段は、レンズユニット外面及び電子機器外面の一方に設けられた磁石と、他方に設けられた磁性体とからなることが好ましい。前記取付手段は、レンズユニット外面及び電子機器外面の一方に貼り付けられ、フック状の樹脂製の係合部材が複数固着されたシートと、他方に貼り付けられ、前記係合部材と係合するループ状の樹脂製の被係合部材が複数固着されたシートとからなることとしてもよい。このようなシートとしては、例えば、マジックテープ（登録商標）やベルクロ（登録商標）を挙げることができる。前記取付手段は、粘着部材であることとしてもよい。前記取付手段は、電子機器外面に複数設けられた被取付部と、レンズユニット外面に設けられ前記複数の被取付部に選択的に着脱自在に取り付けられる取付部とからなることとしてもよい。
【００１３】
前記電子機器には、前記画像データを前記通信手段を介して取り込んで記録する記録手段が備えられていることが好ましい。また、前記レンズユニットが前記電子機器に装着されたことを検出する装着検出手段と、前記装着検出手段による検出結果に基づいて撮影準備動作を行わせる制御手段とを有することが好ましい。電磁誘導を利用してケーブルレスで前記電子機器から前記レンズユニットへ電力を伝送する電力伝送手段を有することが好ましい。前記通信手段は、無線通信であることが好ましい。
【発明の効果】
【００１４】
本発明のカメラシステムによれば、撮影レンズ及び撮像素子が内蔵されたレンズユニットと、レンズユニットが装着される電子機器と、レンズユニットを電子機器の機能を妨げない電子機器外面の異なる複数の位置に装着可能にする取付手段と、レンズユニット及び電子機器の間でデータを通信するための通信手段と、電子機器に備えられ撮像素子の画像データを通信手段を介して取り込んで画像として表示させる表示手段とを有するので、レンズユニットを撮影者の好みに応じた位置に装着することができる。これにより、例えば、電子機器がカメラ本体である場合には、カメラ本体の把持領域を自由に変えることができたり、カメラ本体の前面が向けられている方向とは異なる方向の被写体を撮影したりすることができる。カメラシステムは使い勝手がよくなる。
【００１５】
取付手段が、レンズユニット外面及び電子機器外面の一方に設けられた磁石と、他方に設けられた磁性体とからなる場合には、レンズユニットを電子機器に近づけるだけでレンズユニットを装着することができ、レンズユニットを電子機器から引き離すだけでレンズユニットを取り外すことができるため、レンズユニットの着脱作業は非常に簡単になる。また、取付手段が、レンズユニット外面及び電子機器外面の一方に貼り付けられフック状の樹脂製の係合部材が複数固着されたシートと、他方に貼り付けられ係合部材と係合するループ状の樹脂製の被係合部材が複数固着されたシートとからなる場合にも、レンズユニットの着脱作業は非常に簡単である。それぞれのシートを各外面に貼り付ける作業も非常に簡単である。また、取付手段が粘着部材である場合にも、レンズユニットの着脱作業は非常に簡単である。粘着部材をレンズユニットまたは電子機器に貼り付ける作業も非常に簡単である。
【００１６】
レンズユニットが電子機器に装着されたことを検出する装着検出手段と、装着検出手段による検出結果に基づいて撮影準備動作を行わせる制御手段とを有するので、レンズユニットが装着されたことが検出されてから撮影準備動作を行うことが可能となり、電力の消費量を抑えることができる。
【００１７】
電磁誘導を利用してケーブルレスで電子機器からレンズユニットへ電力を伝送する電力伝送手段を有する場合には、電力伝送用ケーブルが必要なくなり、電力伝送用ケーブルの接続作業を省くことができる。また、通信手段を無線通信とした場合には、通信用ケーブルが必要なくなり、通信用ケーブルの接続作業を省くことができる。カメラシステムをケーブルレスの仕様とすることにより、より使い勝手がよくなる。
【発明を実施するための最良の形態】
【００１８】
［第１実施形態］
図１に示すように、カメラシステム２は、レンズユニット３と、このレンズユニット３が装着されるカメラ本体（電子機器）４とから構成される。レンズユニット３とカメラ本体４とは、ケーブル５を介して接続させることにより、データ伝送及び電力伝送を行うことができる。
【００１９】
レンズユニット３は、円筒状に形成されたレンズユニット本体６を有している。レンズユニット本体６の内側には、撮影レンズ７や、この撮影レンズ７を経て結像される被写体像を撮像するＣＣＤ８等が設けられている。レンズユニット本体６の外周面には、ケーブル５の一端部５ａが接続される接続端子９が設けられている。図２に示すように、レンズユニット本体６の後部には円柱状の突出部１０が形成されている。突出部１０の後部には磁石１１が埋め込まれている。レンズユニット３内は密閉されており塵埃等の侵入が防止される。
【００２０】
図１に示すように、カメラ本体４は外装体１５を有している。この外装体１５は、前壁部１５ａ、上壁部１５ｂ、後壁部１５ｃ、側壁部１５ｄ、下壁部１５ｅを有している。外装体１５は、磁性体、例えば鉄などの金属を材料としており、カメラ本体４の外面を形成するものである。
【００２１】
カメラ本体４の前面には、ストロボ装置の発光部１６が設けられている。外装体１５の前壁部１５ａには、発光部１６を露呈させる開口が形成されており、この開口以外は平面領域とされている。
【００２２】
カメラ本体４の上面には、撮影時に押圧操作されるレリーズボタン１７と、撮影／再生モードの切替時に操作されるモード切替部１８と、ケーブル５の他端部５ｂが接続される接続端子１９とが設けられている。外装体１５の上壁部１５ｂには、これら各部を露呈させる開口が形成されている。
【００２３】
図３に示すように、カメラ本体４の後面には、画像等を表示する液晶パネル２０（以下、ＬＣＤ２０）と、このＬＣＤ２０の操作を行うＬＣＤ操作部２１と、電源ボタン２２とが設けられている。外装体１５の後壁部１５ｃには、これら各部を露呈させる開口が形成されている。後壁部１５ｃにおいて、ＬＣＤ２０を露呈させる開口の側方には、突出部１０（図２参照）の後面より大きな面積の平面領域が形成されている。また、外装体１５の側壁部１５ｄ及び下壁面１５ｅにおいても、突出部１０の後面より大きな面積の平面領域が形成されている。
【００２４】
図４のブロック図に示すように、撮影レンズ７の一部を構成するフォーカスレンズ群３０は、フォーカスモータ３１の駆動によってレンズユニット３内で移動する。フォーカスモータ３１は、フォーカスモータドライバ３２を介してレンズユニット用システム制御部３３（以下、システム制御部３３）によって駆動を制御される。システム制御部３３は、ＣＣＤ８から出力された撮像信号に基づいて画像のコントラストを評価してフォーカスレンズ群３０の移動量を算出する。
【００２５】
ＣＣＤ８は、ＣＣＤドライバ３４を介してシステム制御部３３によって駆動を制御される。ＣＣＤ８は、光学的な被写体画像を電気的な撮像信号に変換して出力する。ＣＣＤ８から出力された撮像信号はアナログ信号処理部３５に入力される。アナログ信号処理部３５は、撮像信号に対して相関二重サンプリングを行ってノイズを除去し、撮像信号を増幅する機能を備えている。
【００２６】
アナログ信号処理部３５から出力された撮像信号は、Ａ／Ｄ変換部３６によってデジタル変換されて画像データとなる。この画像データは、シリアルドライバ３７を介してカメラ本体４側へと送信される。前述したように、レンズユニット３とカメラ本体４とのデータ伝送にはケーブル５が用いられる。システム制御部３３は、カメラ本体用システム制御部４１（以下、システム制御部４１）と交信しながら、レンズユニット３側の撮影処理や画像処理等を管制する。
【００２７】
レンズユニット３側からの画像データは、シリアルドライバ４２を介してメモリ４３に書き込まれる。デジタル信号処理部４４は、メモリ４３から画像データを読み出し、階調変換、ホワイトバランス補正、γ補正等の処理を施す。各種処理が施された画像データは、ＬＣＤドライバ４５へ入力され、ＬＣＤ２０にスルー画として表示される。
【００２８】
システム制御部４１には、レリーズボタン１７、モード切替部１８、電源ボタン２２等が接続されている。レリーズボタン１７が押圧操作されたときには、メディアコントローラ４６の制御によって、各種処理が施された画像データが記録メディア４７に記録される。また、レリーズボタン１７が押圧操作されると、撮影環境からの光量に応じてストロボ装置４８が駆動され発光部１６（図１参照）が発光する。システム制御部４１は、システム制御部３３と交信しながら、カメラ本体４側の撮影処理、画像表示処理、記録処理等を管制する。
【００２９】
カメラ本体４内にはバッテリ４９が配設され、カメラ本体４の各部に電力を供給している。また、このバッテリ４９は、ケーブル５を介してレンズユニット３の各部にも電力を供給している。
【００３０】
以下、上記構成による作用について説明する。レンズユニット本体６の突出部１０の後面を外装体１５の平面領域に近づけると、磁石１１の磁力によってレンズユニット３をカメラ本体４に装着することができる。ここで、撮影者は、レンズユニット３を外装体１５の任意の平面領域（ただし、カメラ本体４の機能を妨げる領域、つまり発光部１６やレリーズボタン１７などに重なる領域を除く）に装着することができる。
【００３１】
例えば、図５に示すように、レンズユニット３を外装体１５の前壁部１５ａの一端部（発光部１６から離れた位置）に装着することができる。この場合には、撮影者は、撮影時に左手で外装体１５の他端部（発光部１６に近い位置）を把持し易くなる。
【００３２】
また、例えば、図６に示すように、レンズユニット３を外装体１５の側壁部１５ｄに装着することができる。この場合には、撮影時にカメラ本体４の前面が向けられている方向に対して９０度回転させた方向の被写体をＬＣＤ２０に表示させ撮影することができる。レンズユニット３を外装体１５の後壁部１５ｃ（図３参照）の平面領域に装着した場合には、撮影時に撮影者自身をＬＣＤ２０に表示させ撮影することができる。レンズユニット３を外装体１５の上壁部１５ｂや下壁部１５ｅ（図１、３参照）に装着することもできる。
【００３３】
レンズユニット３とカメラ本体４とをケーブル５で接続すると、これらが電気的に接続される。カメラ本体４の電源ボタン２２を押圧操作して電源をオンにし、モード切替部１８を操作して設定モードを撮影モードにすると、フォーカスレンズ群３０が移動してピント合わせが行われ、ＬＣＤ２０にはスルー画が表示され、撮影が可能な状態になる。レリーズボタン１７を押圧操作すると撮影が行われてその時点で得られた画像データが記録メディア４７に記録される。
【００３４】
このように、本発明のカメラシステムによれば、レンズユニットをカメラ本体の任意の位置に装着することができるとともに、レンズユニットの着脱作業が簡単なので、カメラシステムの使い勝手は非常によいものとなる。
【００３５】
なお、上記実施形態では、レンズユニット側に磁石を配置しカメラ本体側に磁性体を配置したが、レンズユニット側に磁性体を配置しカメラ本体側に磁石を配置する構成であってもよい。
【００３６】
上記実施形態では、レンズユニットとカメラ本体との間のデータ伝送及び電力伝送にケーブルを用いたが、データ伝送に無線通信手段を用い、電力伝送に電磁誘導を利用した電力伝送手段を用いることによりケーブルレスとしてもよい。
【００３７】
この場合、無線通信手段は、図７のブロック図に示すように、レンズユニット３側に設けた無線通信部７０と、カメラ本体４側に設けた無線通信部７１とから構成する。各無線通信部７０，７１は、各種情報を付与した電波を送信する送信部と、電波を受信する受信部とからなる。無線通信部７０は、システム制御部３３に接続され、システム制御部３３によって駆動を制御される。また、無線通信部７１は、システム制御部４１に接続され、システム制御部４１によって駆動を制御される。この無線通信手段により、ケーブルを用いたときと同様に、レンズユニット３とカメラ本体４との間で、画像データ及び操作情報などの各種情報の伝送が可能である。
【００３８】
また、電力伝送手段は、図７のブロック図に示すように、カメラ本体４側に設けた１次コイル８０と、レンズユニット３側に設けた２次コイル８１及び２次バッテリ８２とから構成される。１次コイル８０は、カメラ本体４の前壁部１５ａ（図１参照）の中央部裏面側に配置される。２次コイル８１は、レンズユニット３の突出部１０（図１参照）内部に配置される。レンズユニット３をカメラ本体４の前壁部１５ａの中央部に装着したときに、１次コイル８０と２次コイル８１とが近接する。
【００３９】
１次コイル８０は、バッテリ４９に接続されており、バッテリ４９から電力の供給をうけて周囲の磁場を変化させる。２次コイル８１は、１次コイル８０に近接したときに、電磁誘導によって起電力を生じさせ、２次バッテリ８２に電力を蓄える。２次バッテリ８２は、レンズユニット３内の各部へ電力を供給する。この電力伝送手段により、ケーブルを用いたときと同様に、レンズユニット３とカメラ本体４との間で電力の伝送が可能である。レンズユニット３をカメラ本体４の前壁部１５ａの中央部以外の領域に装着してカメラシステム２を使用したい場合には、２次バッテリ８２の充電後に、レンズユニット３を前記中央部以外の領域に装着してカメラシステム２を使用する。
【００４０】
なお、１次コイルをカメラ本体に複数設け、レンズユニットをカメラ本体のどの位置に取り付けても２次バッテリに電力が供給されるような構成としてもよい。この場合には、２次バッテリの充電を気にせずにカメラシステムを使用することができる。
【００４１】
図７を用いて説明したようなケーブルレスの構成とすることにより、ケーブルを接続する必要がなくなるため、カメラシステムの使い勝手がさらによくなる。
【００４２】
なお、上記では特に言及しなかったが、レンズユニットが装着したことを検出する装着検出手段を有するカメラシステムとしてもよい。この場合、装着検出手段は、図８に示すように、カメラ本体４の外装体１５の裏面側に複数配置されるホール素子９０と、レンズユニット３の突出部１０に埋め込まれた装着検出用磁石９１とを有する。レンズユニット３をカメラ本体４に装着すると、装着検出用磁石９１がいずれかのホール素子９０に近接するように構成されている。ホール素子９０は、磁気を検出すると検出信号をシステム制御部３３に送る。システム制御部３３にはタイマ９２が接続されており、タイマ９２は磁気の検出と同時に計時を開始し、磁気の検出が継続される時間を測定する。システム制御部３３は、ホール素子９０からの検出信号、及びタイマ９２によって計測される検出継続時間に基づいて、カメラシステム２の各部を制御する。以下では、この装着検出手段を備えたカメラシステム２の作用について説明する。
【００４３】
図９のフローチャートに示すように、レンズユニット３をカメラ本体４に装着する前に、カメラ本体４の電源をオンにしておく。レンズユニット３をカメラ本体４に装着すると、タイマ９２が計時を開始する。タイマ９２によって測定された検出継続時間が設定された基準時間を超えたときには、撮影準備動作が行われる。この撮影準備動作は、レンズユニット３内に設けられたＣＣＤ８を作動させたり、フォーカスレンズ群３０を移動させてピントを合わせたりする動作である。一方、ホール素子９０からの検出信号が途中で停止され、タイマ９２によって測定された検出継続時間が基準時間を超えなかったときには、撮影準備動作は行われない。検出継続時間が基準時間を超えたときにだけ撮影準備動作を行うことで、誤検出を防ぐことができる。装着検出手段を有するカメラシステムであれば、撮影準備動作が必要なときにだけ行われるので、電力を節約することができる。
【００４４】
なお、装着検出手段は、ホール素子及び装着検出用磁石を用いる構成に限られず、例えば、機械的なスイッチ機構を用いた構成であったり、光学的なセンサを用いた構成であってもよい。
【００４５】
［第２実施形態］
第１実施形態で説明したカメラシステムとは別の構成のカメラシステムを第２実施形態に示す。第１実施形態のカメラシステムではレンズユニットを装着する取付手段に磁石及び磁性体を用いたが、第２実施形態のカメラシステムでは取付手段にマジックテープ（登録商標、以下同じ）を用いる。第２実施形態の説明においては、第１実施形態と同様の構成要素に関しては同一の符号を付し、その説明を省略する。
【００４６】
図１０に示すように、カメラシステム１００はレンズユニット３とカメラ本体４とから構成される。レンズユニット３の突出部１０の後面には、オス側マジックテープ１０１が貼り付けられている。また、カメラ本体４の前壁部１５ａ表面には、発光部１６に重ならないようにしてメス側マジックテープ１０２が貼り付けられている。カメラ本体４の側壁部１５ｄ表面には、メス側マジックテープ１０３が貼り付けられている。ここで、図１０には図示されていないが、外装体１５の後壁部１５ｃ（図３参照）や下壁部１５ｅ（図１、３参照）にもメス側マジックテープが貼り付けられている。オス側マジックテープには、フック状の樹脂製の係合部材が複数固着されており、メス側マジックテープには、前記係合部材と係合するループ状の樹脂製の被係合部材が複数固着されている。
【００４７】
撮影者は、レンズユニット３の突出部１０の後面をカメラ本体４の外装体１５に押し付けたり引き離したりするだけで、レンズユニット３をカメラ本体４に対して着脱することができる。また、撮影者はレンズユニット３をカメラ本体４の機能を妨げない任意の位置に装着することができる。これにより、カメラシステム１００は使い勝手がよくなる。なお、マジックテープの替わりにベルクロ（登録商標）を用いてもよい。
【００４８】
なお、第２実施形態のカメラシステムにおいても、第１実施形態で説明したケーブルレスの仕様や、第１実施形態で説明した装着検出手段を備えた仕様にしてもよい。
【００４９】
［第３実施形態］
第１及び第２実施形態で説明したカメラシステムとは別の構成のカメラシステムを第３実施形態に示す。第３実施形態のカメラシステムでは取付手段に粘着テープを用いている。第３実施形態の説明においては、第１実施形態と同様の構成要素に関しては同一の符号を付し、その説明を省略する。
【００５０】
図１１に示すように、カメラシステム２００はレンズユニット３とカメラ本体４とから構成される。レンズユニット３の突出部１０の後面には、矩形状の両面粘着テープ２０１が貼り付けられている。両面粘着テープ２０１の構成は特に限定されず、紙シートの両面に粘着層が形成されたものであってもよいし、粘着性を有する変形自在な樹脂を用いたものであってもよい。撮影者は、レンズユニット３の突出部１０の後面をカメラ本体４の外装体１５に押し付けたり引き離したりするだけで、レンズユニット３をカメラ本体４に対して取り外しすることができる。また、撮影者はレンズユニット３をカメラ本体４の機能を妨げない任意の位置に装着することができる。これにより、カメラシステム２００は使い勝手がよいものとなる。
【００５１】
なお、第３実施形態では外装体１５の材料に何を用いてもよい。ただし、粘着テープの取り外しが容易になる材料が好ましい。また、第３実施形態のカメラシステムにおいても、第１実施形態で説明したケーブルレスの仕様や、第１実施形態で説明した装着検出手段を備えた仕様にしてもよい。
【００５２】
［第４実施形態］
第１〜第３実施形態で説明したカメラシステムとは別の構成のカメラシステムを第４実施形態に示す。第４実施形態の説明においては、第１実施形態と同様の構成要素に関しては同一の符号を付し、その説明を省略する。
【００５３】
図１２に示すように、カメラシステム３００はレンズユニット３とカメラ本体４とから構成される。図１３に示すように、レンズユニット３の突出部１０の後面には、ロックピン（取付部）３０１が固定されている。ロックピン３０１の端部は拡径部３０１ａとされている。
【００５４】
図１２に示すように、カメラ本体４の外装体１５の前壁部１５ａ及び側壁部１５ｄには、挿通孔３０２が形成されている。ここで、図１２には図示されていないが、外装体１５の後壁部１５ｃ（図３参照）や下壁部１５ｅ（図１、３参照）にも挿通孔が形成されている。各挿通孔３０２の孔径は、ロックピン３０１の拡径部３０１ａの径よりわずかに大きくされている。
【００５５】
図１４に示すように、外装体１５の各壁部の裏面側には、各挿通孔３０２に対応してロック部材３０３が設けられている。ロック部材３０３にはゴム材が用いられる。ロック部材３０３は、両端部に凸部３０３ａが形成され、中央部にロック孔３０３ｂが設けられている。ロック孔３０３ｂの孔径は、ロックピン３０１の拡径部３０１ａ（図１３参照）の径より小さくされている。また、ロック孔３０３ｂの周りには、上下方向に延びるスリット３０３ｃが形成されている。ロック部材３０３は、各壁部の裏面側に固定される。挿通孔３０２とロック部材３０３とから被取付部が構成される。
【００５６】
図１５に示すように、レンズユニット３のロックピン３０１をカメラ本体４の挿通孔３０２に挿入して押し込むと、拡径部３０１ａがロック部材３０３に押し付けられてスリット３０３ｃ（図１４参照）が開き、拡径部３０１ａとロック孔３０３ｂとが係合する。このようにして、レンズユニット３をカメラ本体４に装着することができる。また、レンズユニット３をカメラ本体４に対して引っ張ると、ロックピン３０１の拡径部３０１ａがロック孔３０３ｂから離れ、レンズユニット３をカメラ本体４から取り外すことができる。ここで、撮影者は、レンズユニット３を外装体１５の任意の挿入孔３０２に装着することができ、この装着作業は非常に簡単である。
【００５７】
このように、本発明のカメラシステムによれば、レンズユニットを、カメラ本体の撮影者の好みに応じた取付位置に簡単に装着することができるので、カメラシステムの使い勝手がよくなる。
【００５８】
なお、取付部及び被取付部の構成は上記に限られない。また、第４実施形態のカメラシステムにおいても、第１実施形態で説明したケーブルレスの仕様や、第１実施形態で説明した装着検出手段を備えた仕様にしてもよい。
【００５９】
上記実施形態（第１〜第４実施形態）では、記録手段は静止画像を記録するものであったが、動画像を記録するものであってもよい。
【００６０】
上記実施形態では、レンズユニットが装着される電子機器は、カメラ本体であったが、パソコン、テレビ、携帯電話、ゲーム機などであってもよい。レンズユニットを装着することにより機能を拡大するものであれば、この他の電子機器であってもよい。なお、レンズユニット及び電子機器の形状は上記実施形態に限られない。
【図面の簡単な説明】
【００６１】
【図１】カメラシステムの外観斜視図である。
【図２】レンズユニットの外観斜視図である。
【図３】カメラ本体の外観斜視図である。
【図４】カメラシステムの電気的構成を示すブロック図である。
【図５】レンズユニットをカメラ本体の前面端部に装着したときのカメラシステムの外観斜視図である。
【図６】レンズユニットをカメラ本体の側面の装着したときのカメラシステムの外観斜視図である。
【図７】ケーブルレスのカメラシステムの電気的構成を示すブロック図である。
【図８】ホール素子を備えたカメラシステムの概略を示す説明図である。
【図９】レンズユニットの装着を検出してから撮影準備動作を行う流れを示すフローチャートである。
【図１０】第２実施形態のカメラシステムの外観斜視図である。
【図１１】第３実施形態のカメラシステムの外観斜視図である。
【図１２】第４実施形態のレンズユニットの外観斜視図である。
【図１３】第４実施形態のカメラ本体の外観斜視図である。
【図１４】ロック部材の構成を示す説明図である。
【図１５】ロックピンをロック部材に取り付けた状態を示す説明図である。
【符号の説明】
【００６２】
２、１００、２００、３００  カメラシステム
３  レンズユニット
４  カメラ本体
５  ケーブル
６  ユニット本体
７  撮影レンズ
８  ＣＣＤ
１０  突出部
１１  磁石
１５  外装体
２０  ＬＣＤ
７０，７１  無線通信部
８０  １次コイル
８１  ２次コイル
８２  ２次バッテリ
９０  ホール素子
９１  磁石
１０１  オス側マジックテープ
１０２，１０３  メス側マジックテープ
２０１  両面粘着テープ
３０１  ロックピン
３０２  挿通孔
３０３  ロック部材
【図１】
2006295838.tif 000003
【図２】
2006295838.tif 000004
【図３】
2006295838.tif 000005
【図４】
2006295838.tif 000006
【図５】
2006295838.tif 000007
【図６】
2006295838.tif 000008
【図７】
2006295838.tif 000009
【図８】
2006295838.tif 000010
【図９】
2006295838.tif 000011
【図１０】
2006295838.tif 000012
【図１１】
2006295838.tif 000013
【図１２】
2006295838.tif 000014
【図１３】
2006295838.tif 000015
【図１４】
2006295838.tif 000016
【図１５】
2006295838.tif 000017